(57)【要約】【課題】立て掛ける場所に応じて変形することができ且つ昇降中における作業者の転倒を防止することができる高所作業装置を提供すること。【解決手段】高所作業装置は、梯子と、梯子の両側に配置されるロッドと、梯子とロッドを連結する伸縮自在の第１ステーと、第１ステーに対して立体交差し、且つ梯子とロッドを連結する伸縮自在の第２ステーと、を備える。第１ステーは、伸縮を規制するための第１固定器具を備え、第２ステーは、伸縮を規制するための第２固定器具を備える。【選択図】図１
2018071079.tif 000002
【特許請求の範囲】
【請求項１】
梯子と、
前記梯子の両側に配置されるロッドと、
前記梯子と前記ロッドを連結する伸縮自在の第１ステーと、
前記第１ステーに対して立体交差し、且つ前記梯子と前記ロッドを連結する伸縮自在の第２ステーと、
を備え、
前記第１ステーは、伸縮を規制するための第１固定器具を備え、
前記第２ステーは、伸縮を規制するための第２固定器具を備える
高所作業装置。
【請求項２】
前記梯子及び前記ロッドに取り付けられる足場アタッチメントと、
連結された複数の足場片を有し、２つの前記足場アタッチメントに架け渡される足場ユニットと、
を備え、
前記足場片は、隣接する前記足場片に対して回転可能に連結される
請求項１に記載の高所作業装置。
【請求項３】
前記足場アタッチメントは、前記足場片を載せるための第１支持材と、前記第１支持材に対して回転可能に連結された第２支持材とを備える
請求項２に記載の高所作業装置。
【請求項４】
前記足場片は、前記第１支持材に嵌まる嵌合溝を備える
請求項３に記載の高所作業装置。
【請求項５】
前記梯子は、複数の踏桟で連結された２つの縦材を備え、
前記縦材は、前記第１ステー及び前記第２ステーを収納するための第１収納部を備え、
前記ロッドは、前記第１ステー及び前記第２ステーを収納するための第２収納部を備え、
前記第１ステーは、前記第１収納部に設けられた第１ブラケット及び前記第２収納部に設けられた第３ブラケットに連結され、
前記第２ステーは、前記第１収納部に設けられた第２ブラケット及び前記第２収納部に設けられた第４ブラケットに連結され、
前記第１ブラケットが前記第１収納部から突出する長さ及び前記第２ブラケットが前記第１収納部から突出する長さは、前記第２収納部の深さより小さく、
前記第３ブラケットが前記第２収納部から突出する長さ及び前記第４ブラケットが前記第２収納部から突出する長さは、前記第１収納部の深さより小さい
請求項１から４のいずれか１項に記載の高所作業装置。
【請求項６】
前記ロッドの形状は、前記縦材の形状と同じである
請求項５に記載の高所作業装置。
【発明の詳細な説明】
【技術分野】
【０００１】
本発明は、高所作業装置に関する。
【背景技術】
【０００２】
建物の高い位置に設けられた部材に対する保守等の作業を行う時には、梯子等の高所作業装置が用いられる。作業者は、建物の壁等に立て掛けられた高所作業装置を昇り、高所作業装置に設けられた足場に乗って作業する。例えば、特許文献１には、高所作業装置の一例が記載されている。特許文献１の高所作業装置は、一対の梯子が交差する２つの固定部材によって連結されていることで、現地状況に応じて変形することができる。これにより、特許文献１の高所作業装置は建物の壁等への立て掛けを容易にしている。
【先行技術文献】
【特許文献】
【０００３】
【特許文献１】特開２０００−７３５６０号公報
【発明の概要】
【発明が解決しようとする課題】
【０００４】
特許文献１に記載されるような高所作業装置を用いた場合、作業者は、一対の梯子の一方を昇る。作業者は、いずれの梯子を昇る場合でも高所作業装置の左右の端部を昇ることになる。このため、作業者が一方の梯子を昇っている時に、他方の梯子がある方向とは反対側に高所作業装置が倒れる可能性がある。
【０００５】
本発明は、上記に鑑みてなされたものであって、立て掛ける場所に応じて変形することができ且つ昇降中における作業者の転倒を防止することができる高所作業装置を提供することを目的とする。
【課題を解決するための手段】
【０００６】
上述した課題を解決し、目的を達成するために、本発明の一態様に係る高所作業装置は、梯子と、前記梯子の両側に配置されるロッドと、前記梯子と前記ロッドを連結する伸縮自在の第１ステーと、前記第１ステーに対して立体交差し、且つ前記梯子と前記ロッドを連結する伸縮自在の第２ステーと、を備え、前記第１ステーは、伸縮を規制するための第１固定器具を備え、前記第２ステーは、伸縮を規制するための第２固定器具を備える。
【０００７】
これにより、作業者は、梯子に対するロッドの位置、及び梯子に対するロッドの角度を、高所作業装置を立て掛ける場所の状況に応じて変えることができる。また、梯子が両側のロッドに支持されるので、昇降中における梯子の回転が抑制される。したがって、高所作業装置は、立て掛ける場所に応じて変形することができ且つ昇降中における作業者の転倒を防止することができる。
【０００８】
高所作業装置の望ましい態様として、前記梯子及び前記ロッドに取り付けられる足場アタッチメントと、連結された複数の足場片を有し、２つの前記足場アタッチメントに架け渡される足場ユニットと、を備え、前記足場片は、隣接する前記足場片に対して回転可能に連結されることが好ましい。これにより、余りの足場片が生じた場合でも、余りの足場片は下方に垂れ下がるので、余りの足場片が作業者の昇降を阻害しない。また、足場ユニットが折り畳めるので、足場ユニットの運搬が容易になる。
【０００９】
高所作業装置の望ましい態様として、前記足場アタッチメントは、前記足場片を載せるための第１支持材と、前記第１支持材に対して回転可能に連結された第２支持材とを備えることが好ましい。これにより、作業者は、第２支持材が固定される位置を変えることで、第１支持材が梯子に対してなす角度を変えることができる。したがって、足場ユニットを水平に設置する作業が容易になる。
【００１０】
高所作業装置の望ましい態様として、前記足場片は、前記第１支持材に嵌まる嵌合溝を備えることが好ましい。これにより、足場片が位置決めされるので、足場ユニットが安定する。
【００１１】
高所作業装置の望ましい態様として、前記梯子は、複数の踏桟で連結された２つの縦材を備え、前記縦材は、前記第１ステー及び前記第２ステーを収納するための第１収納部を備え、前記ロッドは、前記第１ステー及び前記第２ステーを収納するための第２収納部を備え、前記第１ステーは、前記第１収納部に設けられた第１ブラケット及び前記第２収納部に設けられた第３ブラケットに連結され、前記第２ステーは、前記第１収納部に設けられた第２ブラケット及び前記第２収納部に設けられた第４ブラケットに連結され、前記第１ブラケットが前記第１収納部から突出する長さ及び前記第２ブラケットが前記第１収納部から突出する長さは、前記第２収納部の深さより小さく、前記第３ブラケットが前記第２収納部から突出する長さ及び前記第４ブラケットが前記第２収納部から突出する長さは、前記第１収納部の深さより小さいことが好ましい。これにより、高所作業装置が折り畳まれた時、第１ブラケット及び第２ブラケットがロッドに干渉せず、且つ第３ブラケット及び第４ブラケットが梯子に干渉しない。したがって、高所作業装置において、折り畳まれた状態における幅が小さくなる。
【００１２】
高所作業装置の望ましい態様として、前記ロッドの形状は、前記縦材の形状と同じであることが好ましい。これにより、高所作業装置の製造が容易になる。また、高所作業装置が折り畳まれた時に、ロッドと縦材との間に隙間が生じにくいので、運搬時のがたつきが抑制される。
【発明の効果】
【００１３】
本発明によれば、立て掛ける場所に応じて変形することができ且つ昇降中における作業者の転倒を防止することができる高所作業装置を提供することができる。
【図面の簡単な説明】
【００１４】
【図１】図１は、本実施形態に係る高所作業装置の正面図である。
【図２】図２は、本実施形態に係る高所作業装置の平面図である。
【図３】図３は、本実施形態に係る高所作業装置の側面図である。
【図４】図４は、本実施形態に係る梯子の平面図である。
【図５】図５は、本実施形態に係るロッドの平面図である。
【図６】図６は、本実施形態に係る第１ステーの一部を拡大して示す正面図である。
【図７】図７は、図６におけるＡ−Ａ断面図である。
【図８】図８は、本実施形態に係る足場アタッチメントの正面図である。
【図９】図９は、本実施形態に係る足場アタッチメントの平面図である。
【図１０】図１０は、本実施形態に係る足場アタッチメントの側面図である。
【図１１】図１１は、本実施形態に係る足場ユニットの正面図である。
【図１２】図１２は、折り畳まれた本実施形態に係る高所作業装置の正面図である。
【図１３】図１３は、折り畳まれた本実施形態に係る高所作業装置の平面図である。
【図１４】図１４は、図１２におけるＢ−Ｂ断面図である。
【図１５】図１５は、本実施形態に係る高所作業装置の使用例を示す側面図である。
【図１６】図１６は、本実施形態に係る高所作業装置の使用例を示す正面図である。
【図１７】図１７は、本実施形態に係る高所作業装置の使用例を示す側面図である。
【図１８】図１８は、変形例１に係る高所作業装置の正面図である。
【図１９】図１９は、変形例１に係る延長ユニットの側面図である。
【図２０】図２０は、変形例１に係る高所作業装置の使用例を示す正面図である。
【図２１】図２１は、変形例２に係る高所作業装置の正面図である。
【図２２】図２２は、変形例２に係る高所作業装置の側面図である。
【図２３】図２３は、図２１におけるＣ−Ｃ断面図である。
【図２４】図２４は、変形例２に係る補助ユニットの側面図である。
【図２５】図２５は、変形例２に係る高所作業装置の使用例を示す正面図である。
【図２６】図２６は、変形例２に係る高所作業装置の使用例を示す正面図である。
【発明を実施するための形態】
【００１５】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１６】
（実施形態）
図１は、本実施形態に係る高所作業装置の正面図である。図２は、本実施形態に係る高所作業装置の平面図である。図３は、本実施形態に係る高所作業装置の側面図である。本実施形態に係る高所作業装置１００は、建物の高い位置に配置された設備に対して保守等が必要となった際に用いられる装置である。高所作業装置１００は、高所作業が必要な場所まで運搬され、建物の壁等に立て掛けられる。
【００１７】
図１に示すように、高所作業装置１００は、梯子１と、ロッド３と、第１ステー４と、第２ステー５と、足場アタッチメント６と、足場ユニット７と、を備える。作業者は、立て掛けられた高所作業装置１００の梯子１を昇り、足場ユニット７に乗った状態で作業する。
【００１８】
図４は、本実施形態に係る梯子の平面図である。図１及び図４に示すように、梯子１は、複数の踏桟１９と、２つの縦材２と、を備える。踏桟１９は、作業者が足を掛けるための部材である。複数の踏桟１９が等間隔に配置されている。２つの縦材２が複数の踏桟１９で連結されている。図４に示すように、縦材２は、第１収納部２１と、第１支持部２２と、第１ブラケット１１と、第２ブラケット１２と、を備える。
【００１９】
第１収納部２１及び第１支持部２２は、例えばアルミニウム押出形材として一体に形成されている。例えば、第１収納部２１は、側板２１１と、表板２１２と、裏板２１３と、仕切板２１５と、を備える。側板２１１は、踏桟１９に接合されている。表板２１２は、側板２１１の一端から踏桟１９とは反対側に突出している。裏板２１３は、側板２１１の他端から踏桟１９とは反対側に突出している。仕切板２１５は、表板２１２及び裏板２１３の中間に配置されている。例えば、表板２１２、裏板２１３及び仕切板２１５の長さは互いに等しい。このため、第１収納部２１は、平面視で略Ｅ字状である。第１支持部２２は、表板２１２に対して交差する板状部材である。第１支持部２２は、複数の孔２２０を有する。例えば、複数の孔２２０が同一直線上に等間隔で配置されている。孔２２０は、少なくとも３つ設けられている。
【００２０】
第１ブラケット１１は、第１ステー４を支持する部材である。第１ステー４は、例えばピン１５を介して第１ブラケット１１に連結されており、第１ブラケット１１に対して回転可能である。第２ブラケット１２は、第２ステー５を支持する部材である。第２ステー５は、例えばピン１５を介して第２ブラケット１２に連結されており、第２ブラケット１２に対して回転可能である。第１ブラケット１１及び第２ブラケット１２は、第１収納部２１に取り付けられている。より具体的には、第１ブラケット１１及び第２ブラケット１２は、溶接等により側板２１１に固定されており、踏桟１９とは反対側に突出している。第１ブラケット１１は、裏板２１３と仕切板２１５との間に配置されている。第２ブラケット１２は、表板２１２と仕切板２１５との間に配置されている。
【００２１】
ロッド３は、梯子１の転倒を防止するための部材であって、図１に示すように梯子１の両側に配置されている。ロッド３は、第１ステー４及び第２ステー５によって梯子１と連結されている。
【００２２】
図５は、本実施形態に係るロッドの平面図である。図５に示すように、ロッド３は、第２収納部３１と、第２支持部３２と、第３ブラケット１３と、第４ブラケット１４と、を備える。
【００２３】
ロッド３は、例えば梯子１の縦材２と同じ形状を有する部材である。第２収納部３１及び第２支持部３２は、例えばアルミニウム押出形材として一体に形成されている。例えば、第２収納部３１は、側板３１１と、表板３１２と、裏板３１３と、仕切板３１５と、を備える。側板３１１は、側板２１１（図４参照）と平行な板状部材である。表板３１２は、側板３１１の一端から梯子１側に突出している。裏板３１３は、側板３１１の他端から梯子１側に突出している。仕切板３１５は、表板３１２及び裏板３１３の中間に配置されている。例えば、表板３１２、裏板３１３及び仕切板３１５の長さは互いに等しい。このため、第２収納部３１は、平面視で略Ｅ字状である。第２支持部３２は、表板３１２に対して交差する板状部材である。第２支持部３２は、複数の孔３２０を有する。例えば、複数の孔３２０が同一直線上に等間隔で配置されている。孔３２０は、少なくとも３つ設けられている。
【００２４】
第３ブラケット１３は、第１ステー４を支持する部材である。第１ステー４は、例えばピン１５を介して第３ブラケット１３に連結されており、第３ブラケット１３に対して回転可能である。第４ブラケット１４は、第２ステー５を支持する部材である。第２ステー５は、例えばピン１５を介して第４ブラケット１４に連結されており、第４ブラケット１４に対して回転可能である。第３ブラケット１３及び第４ブラケット１４は、第２収納部３１に取り付けられている。より具体的には、第３ブラケット１３及び第４ブラケット１４は、溶接等により側板３１１に固定されており、梯子１側に突出している。第３ブラケット１３は、裏板３１３と仕切板３１５との間に配置されている。第４ブラケット１４は、表板３１２と仕切板３１５との間に配置されている。
【００２５】
また、図４に示す第１ブラケット１１が第１収納部２１から突出する長さＬ１及び第２ブラケット１２が第１収納部２１から突出する長さＬ２は、図５に示す第２収納部３１の深さＤ３１より小さい。深さＤ３１は、側板３１１の梯子１側の表面から表板３１２の先端までの距離である。図５に示す第３ブラケット１３が第２収納部３１から突出する長さＬ３及び第４ブラケット１４が第２収納部３１から突出する長さＬ４は、図４に示す第１収納部２１の深さＤ２１より小さい。深さＤ２１は、側板２１１のロッド３側の表面から表板２１２の先端までの距離である。
【００２６】
第１ステー４は、図１及び図２に示すように外管４１と、内管４２と、固定器具４５を備える。外管４１の一端は第１ブラケット１１に連結されている。内管４２の一端は第３ブラケット１３に連結されている。内管４２の他端は、外管４１に挿入されている。すなわち、内管４２の少なくとも一部は外管４１の内側に位置している。また、外管４１は、複数の孔４１０を備えている。内管４２は、複数の孔４２０を備えている。内管４２が外管４１に対してスライドすることにより、第１ステー４の全長が変化する。すなわち、第１ステー４は伸縮可能である。固定器具４５は、第１ステー４の伸縮を規制するための装置である。
【００２７】
図６は、本実施形態に係る第１ステーの一部を拡大して示す正面図である。図７は、図６におけるＡ−Ａ断面図である。図６及び図７に示すように、固定器具４５は、例えばピン４５１と、ナット４５４と、座金４５３と、を備える。ピン４５１は、一対の孔４１０と、一対の孔４２０とを貫通する。ナット４５４は、ピン４５１の外周面に設けられた雌ネジに噛み合っている。座金４５３は、ナット４５４と外管４１との間に配置されている。第１ステー４の伸縮を規制する際、まず内管４２の孔４２０が外管４１の孔４１０に重なるように内管４２の位置が調整される。そして、重ねられた孔４１０及び孔４２０にピン４５１が挿入される。最後に、座金４５３及びナット４５４がピン４５１に取り付けられることで、ピン４５１が孔４１０及び孔４２０から抜けなくなる。これにより、第１ステー４の伸縮が規制される。固定器具４５が第１ステー４から取り外されれば、第１ステー４は伸縮可能となる。
【００２８】
第２ステー５は、第１ステー４に対して立体交差するように配置される。第２ステー５は第１ステー４と接続されていない。第２ステー５と第１ステー４との間には隙間が生じている。例えば、第２ステー５は第１ステー４と同じ形状を有する。第２ステー５は、図１及び図２に示すように外管５１と、内管５２と、固定器具５５を備える。外管５１の一端は第４ブラケット１４に連結されている。内管５２の一端は第２ブラケット１２に連結されている。内管５２の他端は、外管５１に挿入されている。すなわち、内管５２の少なくとも一部は外管５１の内側に位置している。また、外管５１は、複数の孔５１０を備えている。内管５２は、複数の孔５２０を備えている。内管５２が外管５１に対してスライドすることにより、第２ステー５の全長が変化する。すなわち、第２ステー５は伸縮可能である。固定器具５５は、第２ステー５の伸縮を規制するための装置である。固定器具５５の構造は、図６及び図７に示した固定器具４５の構造と同じである。
【００２９】
固定器具４５及び固定器具５５が外されている時、第１ステー４及び第２ステー５が伸縮可能である。このため、第１ステー４及び第２ステー５によって梯子１に連結されたロッド３は移動することができる。ロッド３が任意の位置まで移動したら、固定器具４５が第１ステー４に取り付けられ、固定器具５５が第２ステー５に取り付けられる。これにより、梯子１に対するロッド３の位置が固定される。
【００３０】
図８は、本実施形態に係る足場アタッチメントの正面図である。図９は、本実施形態に係る足場アタッチメントの平面図である。図１０は、本実施形態に係る足場アタッチメントの側面図である。足場アタッチメント６は、足場ユニット７を支持するための部材である。足場アタッチメント６は、梯子１の縦材２、及びロッド３に取り付けられる。図８から図１０を用いた以下の説明は、縦材２に取り付けられる足場アタッチメント６に関するが、ロッド３に取り付けられる足場アタッチメント６についても同様に適用できる。
【００３１】
図８から図１０に示すように、足場アタッチメント６は、第１支持材６１と、第２支持材６２と、を備える。第１支持材６１は、足場ユニット７を載せるための部材であって、水平方向に沿うように配置される。第１支持材６１は、差込部６１１と、返し部６１２と、本体部６１３と、ストッパ６１４と、を備える。差込部６１１は、例えば円柱状の部材であって、縦材２の孔２２０に挿入される。返し部６１２は、差込部６１１に設けられており、孔２２０に挿入された差込部６１１を抜け止めする。返し部６１２は、例えば差込部６１１の内部に引っ込めるように差込部６１１に取り付けられている。本体部６１３は、例えば差込部６１１と一体に形成された棒状の部材である。足場ユニット７は本体部６１３に載せられる。ストッパ６１４は、足場ユニット７を位置決めするための部材である。ストッパ６１４は、本体部６１３の外周面に嵌められ、固定具６１５によって固定される。
【００３２】
第２支持材６２は、第１支持材６１に対して回転可能に連結された部材である。第２支持材６２は、差込部６２１と、返し部６２２と、本体部６２３と、連結部６２７と、を備える。差込部６２１は、例えば円柱状の部材であって、差込部６１１が挿入された孔２２０とは異なる孔２２０に挿入される。返し部６２２は、差込部６２１に設けられており、孔２２０に挿入された差込部６２１を抜け止めする。返し部６２２は、例えば差込部６２１の内部に引っ込めるように差込部６２１に取り付けられている。本体部６２３は、例えば差込部６２１と一体に形成された棒状の部材である。連結部６２７は、本体部６２３の差込部６２１とは反対側の端部から突出する円柱状の部材である。連結部６２７は、例えば図１０に示す軸受６３を介して第１支持材６１の本体部６１３に連結される。このため、差込部６１１及び差込部６２１の少なくとも一方が孔２２０に挿入されていなければ、第２支持材６２は、第１支持材６１に対して回転することができる。
【００３３】
差込部６１１及び差込部６２１がそれぞれ異なる孔２２０に挿入されると、第１支持材６１及び第２支持材６２の相対的な回転が規制される。このため、足場アタッチメント６は、足場ユニット７を支持することができる。
【００３４】
上述したように、梯子１及びロッド３は、それぞれ３つ以上の孔（孔２２０及び孔３２０）を備える。第１支持材６１は、孔（孔２２０及び孔３２０）に嵌められる第１差込部（差込部６１１）を備える。第２支持材６２は、差込部６１１が嵌まる孔（孔２２０及び孔３２０）とは異なる孔（孔２２０及び孔３２０）に嵌められる第２差込部（差込部６２１）を備える。これにより、梯子１及びロッド３の長手方向に対して第１支持材６１がなす角度の調整が可能となる。このため、梯子１及びロッド３が地面に対して傾いている時でも、足場ユニット７を水平に近付けることが可能となる。
【００３５】
図１１は、本実施形態に係る足場ユニットの正面図である。足場ユニット７は、作業者の移動範囲を広くするための部材である。足場ユニット７は、縦材２に取り付けられた足場アタッチメント６、及びロッド３に取り付けられた足場アタッチメント６によって支持される。
【００３６】
図１１に示すように、足場ユニット７は、複数の足場片７１と、複数のヒンジ７９と、を備える。１つの足場片７１は、隣接する足場片７１とヒンジ７９を介して連結されている。すなわち、１つの足場片７１は、隣接する足場片７１に対して回転可能に連結されている。足場片７１は、足場アタッチメント６の第１支持材６１に嵌まる嵌合溝７１０を備える。嵌合溝７１０は、第１支持材６１の本体部６１３の外周面に沿うように形成されている。ヒンジ７９は、軸７９１と、羽７９２と、羽７９３と、を備える。軸７９１は、隣接する足場片７１の間に配置される。羽７９２及び羽７９３は、軸７９１に対して回転できる。羽７９２は隣接する足場片７１の一方の下端部に接合され、羽７９３は隣接する足場片７１の他方の下端部に接合される。
【００３７】
足場ユニット７が足場アタッチメント６に載せられる時、１つの嵌合溝７１０が縦材２に取り付けられた足場アタッチメント６の本体部６１３に嵌められ、且つ他の嵌合溝７１０がロッド３に取り付けられた足場アタッチメント６の本体部６１３に嵌められる。これにより、複数の足場片７１が水平方向に沿って並ぶ。水平方向に沿って並んだ複数の足場片７１においては、上端部同士が接する。このため、足場片７１の上に作業者が乗っても足場片７１は回転しない。よって、足場ユニット７は作業者を支えることができる。
【００３８】
図１２は、折り畳まれた本実施形態に係る高所作業装置の正面図である。図１３は、折り畳まれた本実施形態に係る高所作業装置の平面図である。図１４は、図１２におけるＢ−Ｂ断面図である。なお、見やすくするため、図１３及び図１４においては第１ステー４及び第２ステー５の端部以外の部分が省略されている。また、図１３においては、第１ブラケット１１及び第４ブラケット１４が省略されている。高所作業装置１００は、第１ステー４及び第２ステー５が伸縮可能であるため、図１２に示すように折り畳むことができる。これにより、高所作業装置１００の運搬が容易となる。
【００３９】
上述したように、長さＬ１及び長さＬ２（図４参照）が深さＤ３１（図５参照）より小さく、且つ長さＬ３及び長さＬ４（図５参照）が深さＤ２１（図４参照）より小さい。このため、高所作業装置１００が折り畳まれた状態において、第１ブラケット１１及び第２ブラケット１２がロッド３に干渉せず、且つ第３ブラケット１３及び第４ブラケット１４が縦材２に干渉しない。したがって、高所作業装置１００において、折り畳まれた状態における幅が小さくなる。具体的には、縦材２がロッド３に接することができる。このため、折り畳まれた状態の高所作業装置１００の幅は、踏桟１９の幅と、縦材２の２つ分の幅と、ロッド３の２つ分の幅との和に等しくなる。
【００４０】
図１５は、本実施形態に係る高所作業装置の使用例を示す側面図である。図１６は、本実施形態に係る高所作業装置の使用例を示す正面図である。図１７は、本実施形態に係る高所作業装置の使用例を示す側面図である。なお、図１５における高所作業装置１００は、図１に示すように開かれている。すなわち、図１５においてはロッド３が梯子１に平行である。図１５に示すように、高所作業装置１００は、例えば建物１０１の壁に立て掛けられる。高所作業装置１００は、建物１０１の縁に立て掛けられてもよい。
【００４１】
また、図１６及び図１７に示すように、高所作業装置１００は、自立型機器１０２に立て掛けられる。自立型機器１０２は、例えばコンデンサ型計器用変圧器又は避雷器等である。高所作業装置１００が自立型機器１０２に立て掛けられる時、図１６に示すように、ロッド３の下端部が上端部よりも梯子１から遠くに位置するように高所作業装置１００が開かれる。これにより、２つのロッド３が自立型機器１０２に接することができると共に、梯子１の下端部とロッド３の下端部との間の距離が大きくなりやすい。このため梯子１が安定する。
【００４２】
また、図１６に示すように、ロッド３が梯子１に対して角度をなす場合、梯子１に取り付けられた足場アタッチメント６からロッド３に取り付けられた足場アタッチメント６までの距離が足場ユニット７の全長よりも短くなる。このような場合、図１６及び図１７に示すように、余りの足場片７１は下方に垂らされる。これにより、作業者が梯子１を昇る際に、余りの足場片７１が邪魔にならない。
【００４３】
従来、自立型機器１０２に対する作業が行われる時、作業者は胴綱と呼ばれる安全帯を使用していた。胴綱によって支持された作業者の動きは制限されるので、作業効率の向上が難しかった。これに対して、高所作業装置１００によれば、自立型機器１０２の近傍に足場が設けられるので作業効率が向上する。
【００４４】
なお、足場ユニット７は、必ずしも梯子１の両側に設けられなくてもよい。すなわち、足場ユニット７は、梯子１の一方側に設けられていてもよい。また、足場アタッチメント６及び足場ユニット７はなくてもよい。
【００４５】
なお、第１ステー４及び第２ステー５の固定方法は必ずしも上述した方法でなくてもよい。例えば、必ずしも外管４１が複数の孔４１０を備え且つ内管４２が複数の孔４２０を備えていなくてもよい。例えば、外管４１が１つの孔４１０を備え且つ内管４２が複数の孔４２０を備えていてもよいし、外管４１が複数の孔４１０を備え且つ内管４２が１つの孔４２０を備えていてもよい。また、孔４１０及び孔４２０はなくてもよい。孔４１０及び孔４２０がない場合、固定器具４５は、例えば内管４２を外管４１の内壁に押し付けるためのボルト等であればよい。
【００４６】
なお、足場ユニット７は、必ずしも複数の足場片７１及びヒンジ７９を備えていなくてもよい。足場ユニット７は、梯子１に取り付けられた足場アタッチメント６とロッド３に取り付けられた足場アタッチメント６とに架け渡される１つの板状部材であってもよい。
【００４７】
なお、縦材２及びロッド３は、必ずしも上述した形状でなくてもよい。例えば、第１収納部２１は、裏板２１３又は仕切板２１５を備えていなくてもよい。第２収納部３１は、裏板３１３又は仕切板３１５を備えていなくてもよい。また、ロッド３の形状は、縦材２の形状と異なっていてもよい。
【００４８】
以上で説明したように、高所作業装置１００は、梯子１と、梯子１の両側に配置されるロッド３と、梯子１とロッド３を連結する伸縮自在の第１ステー４と、第１ステー４に対して立体交差し且つ梯子１とロッド３を連結する伸縮自在の第２ステー５と、を備える。第１ステー４は、伸縮を規制するための第１固定器具（固定器具４５）を備える。第２ステー５は、伸縮を規制するための第２固定器具（固定器具５５）を備える。
【００４９】
これにより、作業者は、梯子１に対するロッド３の位置、及び梯子１に対するロッド３の角度を、高所作業装置１００を立て掛ける場所の状況に応じて変えることができる。また、梯子１が両側のロッド３に支持されるので、昇降中における梯子１の回転が抑制される。したがって、高所作業装置１００は、立て掛ける場所に応じて変形することができ且つ昇降中における作業者の転倒を防止することができる。
【００５０】
また、高所作業装置１００は、梯子１及びロッド３に取り付けられる足場アタッチメント６と、連結された複数の足場片７１を有し２つの足場アタッチメント６に架け渡される足場ユニット７と、を備える。足場片７１は、隣接する足場片７１に対して回転可能に連結される。これにより、余りの足場片７１が生じた場合でも、余りの足場片７１は下方に垂れ下がるので、余りの足場片７１が作業者の昇降を阻害しない。また、足場ユニット７が折り畳めるので、足場ユニット７の運搬が容易になる。
【００５１】
また、高所作業装置１００において、足場アタッチメント６は、足場片７１を載せるための第１支持材６１と、第１支持材６１に対して回転可能に連結された第２支持材６２とを備える。これにより、作業者は、第２支持材６２が固定される位置を変えることで、第１支持材６１が梯子１に対してなす角度を変えることができる。したがって、足場ユニット７を水平に設置する作業が容易になる。
【００５２】
また、高所作業装置１００において、足場片７１は、第１支持材６１に嵌まる嵌合溝７１０を備える。これにより、足場片７１が位置決めされるので、足場ユニット７が安定する。
【００５３】
また、高所作業装置１００において、梯子１は、複数の踏桟１９で連結された２つの縦材２を備える。縦材２は、第１ステー４及び第２ステー５を収納するための第１収納部２１を備える。ロッド３は、第１ステー４及び第２ステー５を収納するための第２収納部３１を備える。第１ステー４は、第１収納部２１に設けられた第１ブラケット１１及び第２収納部３１に設けられた第３ブラケット１３に連結される。第２ステー５は、第１収納部２１に設けられた第２ブラケット１２及び第２収納部３１に設けられた第４ブラケット１４に連結される。第１ブラケット１１が第１収納部２１から突出する長さＬ１及び第２ブラケット１２が第１収納部２１から突出する長さＬ２は、第２収納部３１の深さＤ３１より小さい。第３ブラケット１３が第２収納部３１から突出する長さＬ３及び第４ブラケット１４が第２収納部３１から突出する長さＬ４は、第１収納部２１の深さＤ２１より小さい。これにより、高所作業装置１００が折り畳まれた時、第１ブラケット１１及び第２ブラケット１２がロッド３に干渉せず、且つ第３ブラケット１３及び第４ブラケット１４が梯子１に干渉しない。したがって、高所作業装置１００において、折り畳まれた状態における幅が小さくなる。
【００５４】
また、高所作業装置１００において、ロッド３の形状は、縦材２の形状と同じである。これにより、高所作業装置１００の製造が容易になる。また、高所作業装置１００が折り畳まれた時に、ロッド３と縦材２との間に隙間が生じにくいので、運搬時のがたつきが抑制される。
【００５５】
（変形例１）
図１８は、変形例１に係る高所作業装置の正面図である。図１９は、変形例１に係る延長ユニットの側面図である。図２０は、変形例１に係る高所作業装置の使用例を示す正面図である。なお、上述した実施形態で説明したものと同じ構成要素には同一の符号を付して重複する説明は省略する。
【００５６】
図１８及び図１９に示すように、変形例１に係る高所作業装置１００Ａは、延長ユニット８を備える。延長ユニット８は、収納筒８２と、延長ロッド８１と、固定器具８５と、を備える。収納筒８２は、ロッド３に固定されている。延長ロッド８１は、収納筒８２に挿入されている。固定器具８５は、延長ロッド８１の移動を規制するための装置である。固定器具８５が延長ロッド８１から取り外されれば、延長ロッド８１は移動可能となる。固定器具８５の構造は、図６及び図７に示した固定器具４５の構造と同じである。すなわち、固定器具８５は、ピン８５１と、ナット８５４と、座金８５３と、を備える。ピン４５１は、収納筒８２に設けられた孔８２０と、延長ロッド８１に設けられた孔８１０とを貫通する。
【００５７】
延長ロッド８１は、例えば図２０に示すように建物１０３の傾斜した屋根１０３ａに高所作業装置１００Ａが立て掛けられる時等に用いられる。屋根１０３ａに届かないロッド３に代わって延長ロッド８１が屋根１０３ａに接するので、高所作業装置１００Ａが安定する。
【００５８】
（変形例２）
図２１は、変形例２に係る高所作業装置の正面図である。図２２は、変形例２に係る高所作業装置の側面図である。図２３は、図２１におけるＣ−Ｃ断面図である。図２４は、変形例２に係る補助ユニットの側面図である。図２５は、変形例２に係る高所作業装置の使用例を示す正面図である。図２６は、変形例２に係る高所作業装置の使用例を示す正面図である。なお、上述した実施形態で説明したものと同じ構成要素には同一の符号を付して重複する説明は省略する。
【００５９】
図２１から図２４に示すように、変形例２に係る高所作業装置１００Ｂは、補助ユニット９を備える。補助ユニット９は、連結部９２と、固定器具９５と、補助ロッド９３と、を備える。連結部９２は、図２３に示すようにロッド３に嵌められる部材であって、孔９２０を備える。連結部９２は、孔９２０がロッド３の孔３２０と重なるように配置される。固定器具９５は、連結部９２の移動を規制するための装置である。固定器具９５が連結部９２から取り外されれば、連結部９２はロッド３に沿って移動可能となる。固定器具９５の構造は、図６及び図７に示した固定器具４５の構造と同じである。すなわち、固定器具９５は、ピン９５１と、ナット９５４と、座金９５３と、を備える。ピン９５１は、連結部９２の孔９２０と、ロッド３の孔３２０とを貫通する。
【００６０】
補助ロッド９３は、外管９３１と、内管９３２と、固定器具９３５と、を備える。内管９３２の一端は連結部９２に固定されている。内管９３２の他端は、外管９３１に挿入されている。内管９３２が外管９３１に対してスライドすることにより、補助ロッド９３の全長が変化する。すなわち、補助ロッド９３は伸縮可能である。連結部９２の位置、及びロッド３が地面に対してなす角度に応じて、補助ロッド９３の長さが決められる。固定器具９３５は、補助ロッド９３の伸縮を規制するための装置である。固定器具９３５の構造は、図６及び図７に示した固定器具４５の構造と同じである。
【００６１】
補助ロッド９３は、例えば図２５及び図２６に示すように自立型機器１０２に高所作業装置１００Ｂが立て掛けられる時等に用いられる。図２５に示す高所作業装置１００Ｂは、図１６に示した高所作業装置１００と同様に開かれている。ロッド３に連結された補助ロッド９３が地面に接するので、高所作業装置１００Ｂが安定する。
【符号の説明】
【００６２】
１  梯子
１１  第１ブラケット
１２  第２ブラケット
１３  第３ブラケット
１４  第４ブラケット
１５  ピン
１９  踏桟
１００、１００Ａ、１００Ｂ  高所作業装置
１０１、１０３  建物
１０２  自立型機器
１０３ａ  屋根
２  縦材
２１  第１収納部
２１１  側板
２１２  表板
２１３  裏板
２１５  仕切板
２２  第１支持部
２２０  孔
３  ロッド
３１  第２収納部
３１１  側板
３１２  表板
３１３  裏板
３１５  仕切板
３２  第２支持部
３２０  孔
４  第１ステー
４１  外管
４１０  孔
４２  内管
４２０  孔
４５  固定器具
５  第２ステー
５１  外管
５１０  孔
５２  内管
５２０  孔
５５  固定器具
６  足場アタッチメント
６１  第１支持材
６１１  差込部
６１２  返し部
６１３  本体部
６１４  ストッパ
６１５  固定具
６２  第２支持材
６２１  差込部
６２２  返し部
６２３  本体部
６２７  連結部
６３  軸受
７  足場ユニット
７１  足場片
７９  ヒンジ
７９１  軸
７９２、７９３  羽
８  延長ユニット
８１  延長ロッド
８２  収納筒
８５  固定器具
９  補助ユニット
９２  連結部
９３  補助ロッド
９５  固定器具
９３１  外管
９３２  内管
９３５  固定器具
【図１】
2018071079.tif 000003
【図２】
2018071079.tif 000004
【図３】
2018071079.tif 000005
【図４】
2018071079.tif 000006
【図５】
2018071079.tif 000007
【図６】
2018071079.tif 000008
【図７】
2018071079.tif 000009
【図８】
2018071079.tif 000010
【図９】
2018071079.tif 000011
【図１０】
2018071079.tif 000012
【図１１】
2018071079.tif 000013
【図１２】
2018071079.tif 000014
【図１３】
2018071079.tif 000015
【図１４】
2018071079.tif 000016
【図１５】
2018071079.tif 000017
【図１６】
2018071079.tif 000018
【図１７】
2018071079.tif 000019
【図１８】
2018071079.tif 000020
【図１９】
2018071079.tif 000021
【図２０】
2018071079.tif 000022
【図２１】
2018071079.tif 000023
【図２２】
2018071079.tif 000024
【図２３】
2018071079.tif 000025
【図２４】
2018071079.tif 000026
【図２５】
2018071079.tif 000027
【図２６】
2018071079.tif 000028